(57)【要約】【課題】記録可能な光ディスクにおけるディスク制御情報を記録する方法を提供し、特に、ディスク制御情報内に速度情報及び速度ごとに記録ストラテジ情報を記録する方法を提供する。【解決手段】本発明は、少なくとも１つの記録層を有する光ディスクの管理領域内にディスク制御情報を形成する際に、前記管理領域内に少なくとも１つのディスク制御情報を備え、そのディスク制御情報は、記録層ごとに当該記録層内の適用可能な速度を備え、ディスク制御情報内には、適用可能な速度ごとに少なくとも１つの記録ストラテジ情報を記録することを特徴とし、この結果、規格化されたディスク制御情報を統一的に適用することで光ディスクの記録再生に効率よく対応できるようにする。
2007527081.tif 000002
【特許請求の範囲】
【請求項１】
少なくとも２つの記録層を有する記録媒体上に制御情報を記録する方法であって、
前記少なくとも２つの記録層に対する制御情報を当該記録層内の適用可能な速度ごとに備え、前記制御情報は、記録媒体の再生または記録のための情報を含んでおり、
適用可能な速度ごとに少なくとも１つの記録ストラテジ情報を有する制御情報を記録媒体の管理領域内に記録することを特徴とする記録媒体の制御情報の記録方法。
【請求項２】
前記管理領域は、事前記録領域であることを特徴とする請求項１に記載の記録媒体の制御情報の記録方法。
【請求項３】
前記制御情報が記録される管理領域は、記録可能な領域であることを特徴とする請求項１に記載の記録媒体の制御情報の記録方法。
【請求項４】
前記制御情報は、ＰＩＣ領域内に形成されるディスク情報（ＤＩ）であることを特徴とする請求項２に記載の記録媒体の制御情報の記録方法。
【請求項５】
前記制御情報は、物理フォーマット情報であることを特徴とする請求項２に記載の記録媒体の制御情報の記録方法。
【請求項６】
前記記録ストラテジ情報は、記録ストラテジパラメーターと記録ストラテジタイプを含み、記録媒体上へのデータの記録のためのピット形成のために要求される情報を意味することを特徴とする請求項１に記載の記録媒体の制御情報の記録方法。
【請求項７】
少なくとも１つの記録ストラテジ情報は、基本記録ストラテジ情報または任意の記録ストラテジ情報であることを特徴とする請求項６に記載の記録媒体の制御情報の記録方法。
【請求項８】
制御情報は、記録層情報と記録速度情報を含むことを特徴とする請求項１に記載の記録媒体の制御情報の記録方法。
【請求項９】
多層記録媒体上に制御情報を記録する方法であって、
少なくとも２つの制御情報を備え、前記制御情報は、多層記録媒体の再生または記録のための情報を含んでおり、前記情報は、少なくとも記録層と記録再生速度に関連付けられ、前記制御情報は、第一に、記録層の順に配列され、第二に、当該記録層内において記録速度の増加順に配列されるか、または当該記録層内において記録ストラテジに応じて配列され、
多層記録媒体の特定領域内に特定順に前記制御情報を記録することを特徴とする記録媒体の制御情報の記録方法。
【請求項１０】
前記記録ストラテジ情報は、記録ストラテジパラメーターと記録ストラテジタイプを含み、記録媒体上へのデータの記録のためのピット形成のために要求される情報を意味することを特徴とする請求項９に記載の記録媒体の制御情報の記録方法。
【請求項１１】
少なくとも１つの記録ストラテジ情報は、基本記録ストラテジ情報と任意の記録ストラテジ情報とに分けられることを特徴とする請求項１０に記載の記録媒体の制御情報の記録方法。
【請求項１２】
記録層情報と記録速度情報は、前記制御情報内に記録されることを特徴とする請求項９に記載の記録媒体の制御情報の記録方法。
【請求項１３】
多層記録媒体上に記録または再生される制御情報のデータ構造であって、
前記多層記録媒体は、少なくとも第１の記録層と第２の記録層を有し、前記第１の記録層と第２の記録層の少なくとも一方は、制御情報を記録する予め決められた領域を有し、前記制御情報は、第１の記録層のための第１の制御情報と第２の記録層のための第２の制御情報を含み、前記第１の制御情報は、第２の制御情報より先に設けられ、
前記第１の制御情報は、第１の記録層に適用される基本記録ストラテジのための記録パラメーターを有し、続いて第１の記録層に適用される他の記録ストラテジまたはより大きい記録速度のための記録パラメーターを有し、
前記第２の制御情報は、第２の記録層に適用される基本記録ストラテジのための記録パラメーターを有し、続いて第１の記録層に適用される他の記録ストラテジまたはより大きい記録速度のための記録パラメーターを有することを特徴とする多層記録媒体上に記録または再生される制御情報のデータ構造。
【請求項１４】
前記第１の制御情報と第２の制御情報は、それぞれ前記他の記録ストラテジのための記録パラメーターが存在するか否か、または他の記録ストラテジのタイプが何かを識別する識別情報を含んでいることを特徴とする請求項１３に記載の多層記録媒体上に記録または再生される制御情報のデータ構造。
【請求項１５】
前記他の記録ストラテジのための記録パラメーターは、記録速度及び／または他の記録ストラテジタイプにより決められることを特徴とする請求項１４に記載の多層記録媒体上に記録または再生される制御情報のデータ構造。
【請求項１６】
前記第１の制御情報及び第２の制御情報のそれぞれは、記録層ＩＤを含んでることを特徴とする請求項１５に記載の多層記録媒体上に記録または再生される制御情報のデータ構造。
【請求項１７】
前記第１の制御情報と第２の制御情報は、連続した順に配列されていることを特徴とする請求項１３に記載の多層記録媒体上に記録または再生される制御情報のデータ構造。
【請求項１８】
多層記録媒体上に制御情報を記録する方法であって、
制御情報を生成するステップと、
前記制御情報を多層記録媒体上の特定領域に記録するステップとを有し、
前記多層記録媒体は、少なくとも第１の記録層と第２の記録層を有し、前記制御情報は、第１の記録層及び／または第２の記録層内の特定領域に位置し、前記制御情報は、第１の記録層のための第１の制御情報と第２の記録層のための第２の制御情報を含み、
前記第１の制御情報は、第２の制御情報より先に設けられ、前記第１の制御情報は、第１の記録層に適用される基本記録ストラテジのための記録パラメーターを有し、続いて第１の記録層に適用される他の記録ストラテジまたはより大きい記録速度のための記録パラメーターを有し、前記第２の制御情報は、第２の記録層に適用される基本記録ストラテジのための記録パラメーターを有し、続いて第１の記録層に適用される他の記録ストラテジまたはより大きい記録速度のための記録パラメーターを有することを特徴とする記録媒体の制御情報の記録方法。
【請求項１９】
前記第１の制御情報と第２の制御情報は、それぞれ前記他の記録ストラテジのための記録パラメーターが存在するか否か、または他の記録ストラテジのタイプが何かを識別する識別情報を含んでいることを特徴とする請求項１８に記載の記録媒体の制御情報の記録方法。
【請求項２０】
前記他の記録ストラテジのための記録パラメーターは、記録速度及び／または他の記録ストラテジタイプにより決められることを特徴とする請求項１９に記載の多層記録媒体の制御情報の記録方法。
【請求項２１】
前記第１の制御情報及び第２の制御情報のそれぞれが記録層ＩＤを含んでることを特徴とする請求項２０に記載の記録媒体の制御情報の記録方法。
【請求項２２】
前記第１の制御情報と第２の制御情報は、連続した順に記録されることを特徴とする請求項１８に記載の記録媒体の制御情報の記録方法。
【請求項２３】
多層記録媒体上にデータを記録再生する方法であって、
少なくとも第１記録層と第２の記録層とを有する多層記録媒体の特定領域から制御情報を読み出し、前記制御情報は、第１の記録層及び／または第２の記録層内の特定領域に位置し、前記制御情報は、第１の記録層のための第１の制御情報と第２の記録層のための第２の制御情報を含み、また、前記第１の制御情報は、第２の制御情報より先に設けられ、前記第１の制御情報は、第１の記録層に適用される基本記録ストラテジのための記録パラメーターを有し、続いて第１の記録層に適用される他の記録ストラテジまたはより大きい記録速度のための記録パラメーターを有し、前記第２の制御情報は、第２の記録層に適用される基本記録ストラテジのための記録パラメーターを有し、続いて第１の記録層に適用される他の記録ストラテジまたはより大きい記録速度のための記録パラメーターを有し、
前記読み出された制御情報に基づいて前記第１の記録層及び／または第２の記録層の主データ領域上にデータを記録または再生することを特徴とする記録媒体のデータの記録再生方法。
【請求項２４】
前記第１の制御情報と第２の制御情報は、特定領域に連続した順に記録されており、前記制御情報を読み出すステップは、前記第１の制御情報と第２の制御情報を記録された順に沿って読み出すことを特徴とする請求項２３に記載の記録媒体のデータの記録再生方法。
【請求項２５】
少なくとも第１の記録層と第２の記録層を有し、
制御情報が前記第１の記録層及び／または第２の記録層内の特定領域に位置し、前記制御情報は、第１の記録層のための第１の制御情報と第２の記録層のための第２の制御情報を含み、前記第１の制御情報は、第２の制御情報より先に設けられ、前記第１の制御情報は、第１の記録層に適用される基本記録ストラテジのための記録パラメーターを有し、続いて第１の記録層に適用される他の記録ストラテジまたはより大きい記録速度のための記録パラメーターを有し、前記第２の制御情報は、第２の記録層に適用される基本記録ストラテジのための記録パラメーターを有し、続いて第１の記録層に適用される他の記録ストラテジまたはより大きい記録速度のための記録パラメーターを有することを特徴とする多層記録媒体。
【請求項２６】
前記第１の制御情報と第２の制御情報は、それそれ他の記録ストラテジのための記録パラメーターが存在するか否か、または他の記録ストラテジのタイプが何かを識別する識別情報を含んでいることを特徴とする請求項２５に記載の記録媒体。
【請求項２７】
前記他の記録ストラテジのための記録パラメーターは、記録速度及び／または他の記録ストラテジタイプにより決められることを特徴とする請求項２６に記載の記録媒体。
【請求項２８】
前記第１の制御情報及び第２の制御情報のそれぞれは、記録層ＩＤを含んでいることを特徴とする請求項２７に記載の記録媒体。
【請求項２９】
前記第１の制御情報と第２の制御情報は、連続した順に記録されることを特徴とする請求項２５に記載の記録媒体。
【請求項３０】
記録可能な領域と、記録不可能な領域または事前記録領域をそれぞれ有する少なくとも２つの記録層を備えた光記録媒体において、
制御情報が当該記録速度ごとに事前記録領域内に分離されて記録され、
前記制御情報内には、記録層を表す記録層情報と、記録速度を直接に表す記録速度情報と、記録速度に連動する記録ストラテジ情報が記録されていることを特徴とする光記録媒体。
【請求項３１】
前記光記録媒体は、記録可能なブルーレイディスクであることを特徴とする請求項３０に記載の光記録媒体。
【請求項３２】
前記光記録媒体は、記録可能なＤＶＤであることを特徴とする請求項３０に記載の光記録媒体。
【請求項３３】
多層記録媒体上にデータを記録する方法であって、
記録層情報と、記録速度情報と、記録速度に連動する記録ストラテジ情報が含まれている制御情報を多層記録媒体の特定領域から記録速度ごとに読み出し、前記制御情報を記憶し、、
前記記憶された記録層情報と、記録速度情報と、記録速度に連動する記録ストラテジ情報に基づいて記録層ごとに記録速度を決め、
前記決められた記録速度で記録を行うことを特徴とする記録媒体上へのデータの記録方法。
【請求項３４】
多層記録媒体上にデータを記録再生する装置において、
多層記録媒体の特定領域から制御情報を読み取る読取り装置を備え、前記多層記録媒体は、少なくとも第１の記録層と第２の記録層を有し、前記制御情報は、第１の記録層及び／または第２の記録層内の特定領域に位置し、前記制御情報は、第１の記録層のための第１の制御情報と第２の記録層のための第２の制御情報を含み、また、前記第１の制御情報は、第２の制御情報より先に設けられ、前記第１の制御情報は、第１の記録層に適用される基本記録ストラテジのための記録パラメーターを有し、続いて第１の記録層に適用される他の記録ストラテジまたはより大きい記録速度のための記録パラメーターを有し、前記第２の制御情報は、第２の記録層に適用される基本記録ストラテジのための記録パラメーターを有し、続いて第１の記録層に適用される他の記録ストラテジまたはより大きい記録速度のための記録パラメーターを有し、
前記読み出された制御情報に基づいて前記第１の記録層及び／または第２の記録層の主データ領域上にデータを記録または再生する制御部を含むことを特徴とする記録媒体のデータの記録再生装置。
【発明の詳細な説明】
【技術分野】
【０００１】
本発明は、記録媒体上に制御情報を記録する方法に係り、特に、少なくとも１つの記録層を有する記録可能な光ディスクにおける制御情報内に記録速度情報を記録する方法及びその速度ごとに記録ストラテジ情報を記録する方法に係る。
【背景技術】
【０００２】
ＨＤ−ＤＶＤと知られている高密度光記録媒体が高画質のビデオデータと高音質のオーディオデータを記録するための光ディスクとして広く使用されている。特に、ブルーレイディスクが次世代ＨＤ−ＤＶＤ技術として開発されている。
【０００３】
ブルーレイディスクに係る各種の標準案が設けられており、書き換え可能な１倍速ブルーレイディスク（ＢＤ−ＲＥ）に続いて１回だけ記録可能なブルーレイディスク（ＢＤ−ＷＯ）に対する各種の標準案が設けられている。
【０００４】
前記のようなＢＤ−ＲＥの場合、１倍速で書き換え可能な場合だけが論議されているが、今後、より高速（２倍速以上）のＢＤ−ＲＥの場合にも対応する必要がある。特に、最近論議中のＢＤ−ＷＯの場合は高速に対する規格化作業も一緒に進められている。高密度光ディスクにおいて高速に対応する効率的な対応策の確立が切実に要求され、規格化された仕様が相互間の互換性を確保すべきである。
【発明の開示】
【発明が解決しようとする課題】
【０００５】
本発明は、前記した従来技術の問題点を解決するためになされたものであって、その目的は、高速に対応する規格化された情報としてのディスク制御情報を記録する新規の方法を提供し、特に、ディスク制御情報内に速度情報を効率よく記録し、記録されたディスク制御情報から光ディスクの効率的な記録再生を行うことである。
【０００６】
本発明の他の目的は、ディスク制御情報を構成する新規のデータ構造を提供することである。
【０００７】
本発明のまた他の目的は、高速に対応するディスク制御情報をディスク内の特定領域に規格化された方法で提供し、記録層ごとに特定倍速に対する情報を特定の順に提供することで同系列のディスク同士の互換性を提供することである。
【０００８】
本発明の更なる目的は、記録されたディスク制御情報を用いて光ディスクにユーザーデータを記録再生する記録再生方法及び装置を提供することである。
【０００９】
本発明のまた更なる目的、長所及び特徴については、後述する発明の実施形態及び図面に基づいて詳細に説明する。
【課題を解決するための手段】
【００１０】
前記目的を達成するための、本発明の記録媒体の制御情報の記録方法は、少なくとも２つの記録層を有する記録媒体上に制御情報を記録する方法であって、制御情報を記録媒体の管理領域内に記録するステップを備え、制御情報は少なくとも２つの記録層に対して当該記録層内の適用可能な速度ごとに備え、かつ、制御情報は、記録媒体の再生または記録のための情報を含んでおり、適用可能な速度ごとに少なくとも１つの記録ストラテジ（write strategy）情報を有することを特徴とする。
【００１１】
また、本発明の他の記録媒体の制御情報の記録方法は、多層記録媒体上に制御情報を記録する方法であって、少なくとも２つの制御情報を備え、制御情報は、多層記録媒体の再生または記録のための情報を含んでおり、情報は、少なくとも記録層と記録再生速度に関連付けられ、制御情報は、第一に、記録層の順に配列され、第二に、当該記録層内において記録速度の増加順に配列されるか、または当該記録層内において記録ストラテジに応じて配列され、多層記録媒体の特定領域内に特定順に制御情報を記録することを特徴とする。
【００１２】
また、本発明の多層記録媒体上に記録または再生される制御情報のデータ構造は、多層記録媒体が少なくとも第１の記録層と第２の記録層を有し、第１の記録層と第２の記録層の少なくとも一方は、制御情報を記録する予め決められた領域を有し、制御情報は、第１の記録層のための第１の制御情報と第２の記録層のための第２の制御情報を含み、第１の制御情報は、第２の制御情報より先に設けられ、第１の制御情報は、第１の記録層に適用される基本（basic）記録ストラテジのための記録パラメーターを有し、続いて第１の記録層に適用される他の（alternate）記録ストラテジまたはより大きい記録速度のための記録パラメーターを有し、第２の制御情報は、第２の記録層に適用される基本記録ストラテジのための記録パラメーターを有し、続いて第１の記録層に適用される他の記録ストラテジまたはより大きい記録速度のための記録パラメーターを有することを特徴とする。
【００１３】
また、本発明の記録媒体の制御情報の記録方法は、多層記録媒体上に制御情報を記録する方法であって、制御情報を生成するステップと、制御情報を多層記録媒体上の特定領域に記録するステップとを有し、多層記録媒体は、少なくとも第１の記録層と第２の記録層を有し、制御情報は、第１の記録層及び／または第２の記録層内の特定領域に位置し、制御情報は、第１の記録層のための第１の制御情報と第２の記録層のための第２の制御情報を含み、前記第１の制御情報は、第２の制御情報より先に設けられ、前記第１の制御情報は、第１の記録層に適用される基本記録ストラテジのための記録パラメーターを有し、続いて第１の記録層に適用される他の記録ストラテジまたはより大きい記録速度のための記録パラメーターを有し、第２の制御情報は、第２の記録層に適用される基本記録ストラテジのための記録パラメーターを有し、続いて第１の記録層に適用される他の記録ストラテジまたはより大きい記録速度のための記録パラメーターを有することを特徴とする。
【００１４】
また、本発明の記録媒体のデータの記録再生方法は、多層記録媒体上にデータを記録再生する方法であって、少なくとも第１記録層と第２の記録層とを有する多層記録媒体の特定領域から制御情報を読み出すステップを有し、制御情報は、第１の記録層及び／または第２の記録層内の特定領域に位置し、制御情報は、第１の記録層のための第１の制御情報と第２の記録層のための第２の制御情報を含み、また、第１の制御情報は、第２の制御情報より先に設けられ、第１の制御情報は、第１の記録層に適用される基本記録ストラテジのための記録パラメーターを有し、続いて第１の記録層に適用される他の記録ストラテジまたはより大きい記録速度のための記録パラメーターを有し、第２の制御情報は、第２の記録層に適用される基本記録ストラテジのための記録パラメーターを有し、続いて第１の記録層に適用される他の記録ストラテジまたはより大きい記録速度のための記録パラメーターを有し、読み出された制御情報に基づいて第１の記録層及び／または第２の記録層の主データ領域上にデータを記録または再生することを特徴とする。
【００１５】
また、本発明の記録媒体は多層記録媒体であって、少なくとも第１の記録層と第２の記録層を有し、制御情報が第１の記録層及び／または第２の記録層内の特定領域に位置し、制御情報は、第１の記録層のための第１の制御情報と第２の記録層のための第２の制御情報を含み、第１の制御情報は、第２の制御情報より先に設けられ、第１の制御情報は、第１の記録層に適用される基本記録ストラテジのための記録パラメーターを有し、続いて第１の記録層に適用される他の記録ストラテジまたはより大きい記録速度のための記録パラメーターを有し、第２の制御情報は、第２の記録層に適用される基本記録ストラテジのための記録パラメーターを有し、続いて第１の記録層に適用される他の記録ストラテジまたはより大きい記録速度のための記録パラメーターを有することを特徴とする。
【００１６】
また、本発明に係る光記録媒体は、記録可能な領域と、記録不可能な領域または事前記録領域をそれぞれ有する少なくとも２つの記録層を備えた光記録媒体であって、制御情報が当該記録速度ごとに事前記録領域内に分離されて記録され、制御情報内には、記録層を表す記録層情報と、記録速度を直接に表す記録速度情報と、記録速度に連動する記録ストラテジ情報が記録されていることを特徴とする。
【００１７】
また、本発明の記録媒体のデータの記録方法は、多層記録媒体上にデータを記録する方法であって、記録層情報と、記録速度情報と、記録速度に連動する記録ストラテジ情報とが含まれている制御情報を多層記録媒体の特定の領域から記録速度ごとに読み出し、その制御情報を記憶し、記憶された記録層情報と、記録速度情報と、記録速度に連動する記録ストラテジ情報とに基づいて記録層ごとに記録速度を決め、決められた記録速度で記録を行うことを特徴とする。
【００１８】
また、本発明の記録媒体のデータの記録再生装置は、多層記録媒体上にデータを記録再生する装置であって、読取り装置を備え、読取り装置は、多層記録媒体の特定領域から制御情報を読み取り、多層記録媒体は、少なくとも第１の記録層と第２の記録層を有し、制御情報は、第１の記録層及び／または第２の記録層内の特定領域に位置し、制御情報は、第１の記録層のための第１の制御情報と第２の記録層のための第２の制御情報を含み、また、第１の制御情報は、第２の制御情報より先に設けられ、第１の制御情報は、第１の記録層に適用される基本記録ストラテジのための記録パラメーターを有し、続いて第１の記録層に適用される他の記録ストラテジまたはより大きい記録速度のための記録パラメーターを有し、第２の制御情報は、第２の記録層に適用される基本記録ストラテジのための記録パラメーターを有し、続いて第１の記録層に適用される他の記録ストラテジまたはより大きい記録速度のための記録パラメーターを有し、読み出された制御情報に基づいて前記第１の記録層及び／または第２の記録層の主データ領域上にデータを記録または再生する制御部を含むことを特徴とする。
【発明の効果】
【００１９】
以上で説明したように本発明によれば、高密度光ディスクにおいて高速に対応するディスク制御情報を提供する各種の方法を提示した。この結果、規格化されたディスク制御情報を統一的に適用することができ、光ディスクの記録再生に効率よく対応できるという長所を有する。
【発明を実施するための最良の形態】
【００２０】
以下、本発明に係る光ディスクのディスクバージョン情報の記録方法及び光ディスクの記録再生方法などに対する好適な実施形態を、添付した図面を参照して詳細に説明する。なお、可能な限り図面中の同一の機能及び構成要素については同一の参照符号を付する。
【００２１】
説明の便宜上、光ディスクは、ブルーレイディスク（ＢＤ）の場合を例に挙げて説明するが、ブルーレイディスク（ＢＤ）の他にも、本発明の概念的特徴は、ディスク制御情報が記録される光ディスクとして、例えば、ＤＶＤ−ＲＡＭ、ＤＶＤ−ＲＷ、ＤＶＤ＋ＲＷ、ＤＶＤ−Ｒ、ＤＶＤ＋Ｒといったような類似のディスクにも同様に適用可能であることは自明である。
【００２２】
併せて、本発明で使用される用語は、可能な限り広く使用される一般の用語を選択したが、特定の場合は、出願人が任意に選定した用語もあり、この場合は、発明の詳細な説明における該当する部分において詳細にその意味を記載したので、単なる用語の名称自体ではない用語がもつ意味をもって本発明を把握すべきである。
【００２３】
本発明において“ディスク制御情報”とは、ディスクの特定領域、例えば、記録可能な領域または事前記録領域内に記録される情報を意味し（事前記録領域とはエンボス領域と知られており、ディスクの製作者により記録され、更なる記録が不可能な領域を意味する。）、その制御情報には、ディスクの記録再生のために必要な情報が含まれる。
【００２４】
ブルーレイディスク（ＢＤ）では、ディスク制御情報を“ディスク情報（Disc Information）”と称し、ＤＶＤ−ＲＡＭ／−ＲＷ／＋ＲＷ／−Ｒ／＋Ｒでは、ディスク制御情報を“物理フォーマット情報（Physical format information）”ともいう。従って、本発明の技術的思想は、ＤＶＤ−ＲＡＭ／−ＲＷ／＋ＲＷ／−Ｒ／＋Ｒでの“物理フォーマット情報”にも同様に適用可能であることは自明である。
【００２５】
また、本発明のディスク情報は、特定されていない情報のある単位として記録され、これは、カウント可能な情報であって、例えば、第１番目または第２番目のディスク情報といったようにカウントすることができる。
【実施形態】
【００２６】
図１及び図２は、本発明に係る光ディスクの構造を示す図であって、本発明が適用される光ディスクは、記録可能な光ディスクであればよく、複数回書き換え可能な光ディスクであるか、または１回だけ記録可能な光ディスクであるかを問わずに適用可能である。
【００２７】
図１は、本発明の光ディスクの構造であって、記録層が１つの単層構造について示す図である。光ディスクの内周領域と外周領域には、管理領域としてリードインとリードアウト領域が備えられており、特に、ディスクの内周領域は、事前記録領域と記録可能な領域とに区分されている。
【００２８】
ＢＤ−ＲＥ／ＷＯでは、事前記録領域をＰＩＣ領域と称し、ＰＩＣ領域に記録されるデータを永久情報と制御データ（Permanent Information & Control data）と称し、そのＰＩＣ領域に、ディスクの記録などに必要なディスク制御情報として、前述したディスク情報（‘ＤＩ’ともいう）が記録されている。
【００２９】
データ領域には、ユーザーが記録しようとする実際のデータが記録されるユーザーデータ領域と欠陥領域の発生時にこれに対処するためのスペア領域（ＩＳＡ、ＯＳＡ）がそれぞれ備えられており、特に、ＢＤ−ＷＯのような１回だけ記録可能な光ディスクでは、ディスクの欠陥管理、一般管理のための情報を記録する一時的な欠陥管理領域（ＴＤＭＡ：Temporary Defect Management Area）が備えられている。書き換え可能なＢＤ−ＲＥの場合、ＴＤＭＡは不要な領域であるため予備領域として残しておく。
【００３０】
本発明は、事前記録領域または記録可能な領域にディスクの記録再生に必要なディスク情報（ＤＩ）を効率よく記録する方法である。ディスクの種類ごとに事前記録領域への記録方式が異なって適用されることは当然であって、ＢＤ−ＲＥ／ＷＯの場合、事前記録領域としてのＰＩＣ領域には、２位相高周波変調された信号で記録しておき、当該領域の高周波変調された信号を特定の再生方式によって再生し、これにより情報を取得する。
【００３１】
図２は、記録層が複数である二層の場合について示す図であって、二層におけるリードインで始まる記録層を第１の記録層（層０）とし、リードアウトで終わる記録層を第２の記録層（層１）とする。
【００３２】
この二層ディスクにおいてもディスクの内周領域のリードインとリードアウト領域には、前述したＰＩＣ領域が備えられ、ＰＩＣ領域内には、同様のディスク情報（ＤＩ）が記録されている。
【００３３】
図３は、本発明に係るＰＩＣ領域の構造を示す図である。ＢＤ−ＲＥ／ＷＯにおける最小記録単位は、‘１クラスタ’で表し、ＰＩＣ領域は、５４４クラスタが集まって１つの上位記録単位としてのフラグメントを形成し、計５つのフラグメントが集まってＰＩＣ領域を形成している。第１番目のフラグメント（ＩＦ０）の先頭クラスタにはディスク情報を記録する。ディスク情報は、当該光ディスクの適用可能な記録層及び速度ごとに複数記録されており、１つのディスク情報を１１２バイトで構成した。１１２バイトから構成されたディスク情報を特にディスク情報フレーム（ＤＩフレーム）という。また、残りのフラグメントの先頭クラスタにも同じ内容のディスク情報を繰り返して記録しておくことにより、ディスク情報の損失に対応できるようにした。
【００３４】
また、それぞれのディスク情報内には、当該記録層を表す情報と倍速を表す速度情報とその速度に対応する記録ストラテジ情報が記録されており、記録層別及び速度ごとに最適の記録条件を与えるために当該光ディスクの記録再生にかかる情報を活用する。
【００３５】
即ち、本発明のディスク情報（ＤＩ）は、当該ディスクが支援する特定の記録速度及びこれに関連する記録ストラテジ情報を提供することを特徴とし、特に、記録層が複数である場合にもそれぞれの記録層ごとに支援する特定の記録速度及びこれに関連する記録ストラテジ情報を規格化された方法として提供することを特徴とする。
【００３６】
本ディスク情報（ＤＩ）の具体的な構成は、ブルーレイディスク（ＢＤ）の場合に関するものであって、ＤＶＤ系列のディスクであれば本構造とは異なる構成を有してもよいことは言うまでもない。特に、ディスク情報（ＤＩ）の大きさがブルーレイディスクの場合には、同様に１１２バイトであることを例に挙げて説明したが、同一の記録層のディスク情報（ＤＩ）を１つの情報とし、共通の情報は繰り返すことなく１回だけ提供し、記録速度ごとに変わる記録ストラテジ情報だけを追加的に構成させてもよい。
【００３７】
図４ａ〜図４ｃは、本発明に係る光ディスクのディスク情報を記録する第１の実施形態を示す図であって、記録層ごと及び速度ごとに特定の順にディスク情報を構成することに特徴がある。
【００３８】
図４ａは、それぞれのディスク情報ごとに一連番号を付して順番を決めておき、その順番を１バイトで記録する。例えば、ディスク情報内の第５番目のバイトに順番の情報を記録しておく。これを“ＤＩｆｒａｍｅ ｓｅｑｕｅｎｃｅ ｎｕｍｂｅｒ ｉｎ ＤＩ ｂｌｏｃｋ”フィールドと称する。簡略に“００ｈ、０１ｈ、０２ｈ、０３ｈ、０４ｈ、０５ｈ、０６ｈ、０７ｈ”などと表す。即ち、第５番目のバイトの情報が“００ｈ”であれば、第１番目のディスク情報であることを意味し、“０７ｈ”であれば、第８番目のディスク情報であることを意味する。
【００３９】
また、ディスク情報内の特定領域（第Ｎ番目のバイト）には、当該ディスク情報が使用される記録層情報と記録速度情報を特定ビットで表して記録しておく。例えば、第Ｎ番目のバイトの上位４ビットには記録層情報を記録し、下位４ビットには記録速度情報を記録するという方式である。
【００４０】
例えば、記録層情報を表す４ビットが“００００ｂ”であれば単層を意味し、“１０００ｂ”であれば二層の第１の記録層を、“１００１ｂ”であれば二層の第２の記録層をそれぞれ意味するものと定義した。
【００４１】
また、速度情報を表す４ビットを様々な方式で定義することができる。例えば、“００００ｂ”であれば１倍速を、“００１０ｂ”であれば２倍速を、“０１００ｂ”であれば４倍速を、“１０００ｂ”であれば８倍速を、“１１１１ｂ”であれば１６倍速を意味するものと定義することができる。従って、前記のような記録層情報と速度情報の定義方式は、システムによってまたは規格制定を通じて様々な方式で定義し使用すればよい。即ち、記録層情報と速度情報をそれぞれ１バイトずつ割り当てて定義する方式も可能である。
【００４２】
従って、図４ａに示すように、自分の一連番号に当たる記録層情報及び速度情報が予め決められた特定位置に記録されており、容易に当該ディスク情報の有する記録層情報と速度情報を確認することができる。ディスク情報内の残りのバイト、例えば、第４４〜１１１番目のバイトを活用して、当該記録層及び速度に適する記録ストラテジ情報としての記録パワーや記録パラメーターなどを詳細に記録しておくことにより、記録再生に際し、これらの情報を用いた効率的な記録再生が可能になる。第４４〜１１１番目のバイトに記録された記録ストラテジ情報を、特に“記録ストラテジパラメータ”と称す。
【００４３】
図４ｂは、図４ａに示すようにディスク情報を表す場合における、特に単層の場合に記録されるディスク情報を例を挙げて示す図である。光ディスクが異なる４つの速度情報を必要とする場合、ＰＩＣ領域内にそれぞれの速度に対応する４つのディスク情報が必要となる。それぞれのディスク情報は、第５番目のバイトに一連番号を記録し、第Ｎ番目のバイトには、これに対応する記録層情報と速度情報をそれぞれ４ビットずつ割り当てて記録する。例えば、表したい速度が１、２、４、８倍速であれば、単層の場合だけを示する図４ｂを参照すれば、第Ｎ番目のバイトの上位４ビットは、常に単層を指定する“００００ｂ”であり、残りの下位４ビットは、それぞれの速度情報を意味するものとし、第１番目のディスク情報に１倍速を表す“００００ｂ”を、第２番目のディスク情報には２倍速を表す“００１０ｂ”を、第３番目のディスク情報には４倍速を表す“０１００ｂ”を、最後に第４番目のバイトには８倍速を表す“１０００ｂ”を記録した。
【００４４】
図４ｃは、図４ａに示すようにディスク情報を表す場合における、特に二層の場合に記録されるディスク情報を例を挙げて示す図である。記録層が２つ以上である場合には、記録層ごとに当該速度情報に当たるそれぞれのディスク情報を構成する。即ち、記録層ごとにＤＩ情報を先に構成させ、当該記録層における速度情報ごとにディスク情報を後に構成する。言い換えれば、ディスク情報を構成する順は、記録層が優先し、次に当該記録層における当該倍速に応じたディスク情報の順に構成される。
【００４５】
従って、光ディスクが２つの記録層を有し、それぞれの記録層が異なる４つの速度情報を必要とする場合、ＰＩＣ領域内に記録層ごとにそれぞれの速度に対応させるために計８つのディスク情報が必要となり、それぞれのディスク情報は、第５番目のバイトに一連番号を記録し、第Ｎ番目のバイトにはこれに対応する記録層情報と速度情報をそれぞれ４ビットずつ割り当てて記録する。
【００４６】
例えば、記録層ごとに表したい速度がそれぞれ１、２、４、８倍速であれば、図４ｃの場合、第１番目から第４番目のディスク情報は、二層の第１の記録層（層０）に対するディスク情報であり、第Ｎ番目のバイトの上位４ビットは、常に第１の記録層を指定する“１０００ｂ”で、残りの下位４ビットは、それぞれ速度情報を意味するものとして、第１番目のディスク情報には１倍速を表す“００００ｂ”を、第２番目のディスク情報には２倍速を表す“００１０ｂ”を、第３番目のディスク情報には４倍速を表す“０１００ｂ”を、最後に第４番目のバイトには８倍速を表す“１０００ｂ”を記録した。
【００４７】
また、第５番目から第８番目のディスク情報は、二層の第２の記録層（層１）に対するディスク情報であり、第Ｎ番めのバイトの上位４ビットは、常に第２の記録層を指定する“１００１ｂ”で、残りの下位４ビットは、それぞれ速度情報を意味するものとして、第５番目のディスク情報には１倍速を表す“００００ｂ”を、第６番目のディスク情報には２倍速を表す“００１０ｂ”を、第７番目のディスク情報には４倍速を表す“０１００ｂ”を、最後に第８番目のバイトには８倍速を表す“１０００ｂ”を記録した。
【００４８】
この実施形態では、各層における速度ごとにディスク情報（ＤＩ）をそれぞれ区分したが、また他の例として、各記録層ごとにのみ区分し、記録層ごとに各速度を１つのＤＩに含めて構成してもよい。この場合、記録層ごとに１つのＤＩが存在し、ＤＩの大きさは、支援速度に応じて変えるように構成すればよい。
【００４９】
図５ａ〜図５ｃは、本発明に係る光ディスクのディスク情報を記録する第２の実施形態を示す図である。第２の実施形態は、図４ａに示す第１の実施形態の場合と異なり、ディスク情報の一連番号を記録する第５番目のバイトに記録層情報と速度情報を記録しておく方式である。
【００５０】
ディスク情報内の一連番号が単に連続するディスク情報の一連の順番を意味するだけでなく、本発明の記録層情報と速度情報とをその領域に記録することにより、ディスク情報が特定の順に記録されることを表すことができるようになる。
【００５１】
図５ｂは、第２の実施形態が単層に適用される場合について例を挙げて示す図であって、図４ｂと同じ方式で記録層情報と速度情報が１バイト内に記録されるが、これを第Ｎ番目のバイトに代わって第５番目のバイトに記録した場合である。
【００５２】
例えば、表したい速度がそれぞれ１、２、４、８倍速であれば、単層の場合だけを示す図５ｂを参照すれば、第５番目のバイトの上位４ビットは、常に単層を指定する“００００ｂ”であり、残りの下位４ビットは、それぞれ速度情報を意味し、第１番目のディスク情報には１倍速を表す“００００ｂ”を、第２番目のディスク情報には２倍速を表す“００１０ｂ”を、第３番目のディスク情報には４倍速を表す“０１００ｂ”を、最後に第４番目のバイトには８倍速を表す“１０００ｂ”を記録した。
【００５３】
図５ｃは、第２の実施形態が二層に適用される場合について例を挙げて示す図であって、図４ｃと同じ方式で記録層情報と速度情報が１バイト内に記録されるが、これを第Ｎ番目のバイトに代わって第５番目のバイトに記録した場合である。例えば、記録層ごとに表したい速度がそれぞれ１、２、４、８倍速であれば、図５ｃの場合、第１番目から第４番目のディスク情報は、二層の第１の記録層に対するディスク情報であるため、第５番目のバイトの上位４ビットは常に第１の記録層を指定する“１０００ｂ”であり、残りの下位４ビットは、それぞれ速度情報を意味し、第１番目のディスク情報には１倍速を表す“００００ｂ”を、第２番目のディスク情報には２倍速を表す“００１０ｂ”を、第３番目のディスク情報には４倍速を表す“０１００ｂ”を、最後に第４番目のバイトには８倍速を表す“１０００ｂ”を記録した。また、第５番目から第８番目のディスク情報は、二層の第２の記録層に対するディスク情報であるため、第５番目のバイトの上位４ビットは、常に第２の記録層を指定する“１００１ｂ”であり、残りの下位４ビットは、それぞれ速度情報を意味し、第５番目のディスク情報には１倍速を表す“００００ｂ”を、第６番目のディスク情報には２倍速を表す“００１０ｂ”を、第７番目のディスク情報には４倍速を表す“０１００ｂ”を、最後に第８番目のバイトには８倍速を表す“１０００ｂ”を記録した。
【００５４】
図６ａ〜図６ｅは、本発明に係る光ディスクのディスク情報を記録する第３の実施形態を示す図である。
【００５５】
まず、ディスク内には、複数のディスク情報が記録され、それぞれのディスク情報には、一連番号を付して順番を決めておき、これを１バイトで記録しておく。例えば、ディスク情報内の第５番目のバイトにこの情報を記録しておき、これを“ＤＩｆｒａｍｅ ｓｅｑｕｅｎｃｅ ｎｕｍｂｅｒ ｉｎ ＤＩ ｂｌｏｃｋ”フィールドと称し、簡略に“００ｈ、０１ｈ、０２ｈ、・・・”などで表す。
【００５６】
即ち、例えば、第５番目のバイトの情報が“００ｈ”であれば、第１番目のディスク情報であり、第１の記録層（層０）の１倍速に対するディスク情報であることを意味し、“０１ｈ”であれば、第２番目のディスク情報で第１の記録層（層０）の２倍速に対するディスク情報であることを意味し、“０７ｈ”であれば、第８番目のディスク情報で第２の記録層（層１）の８倍速に対するディスク情報であることを意味するものと定義する。従って、ディスク情報は、記録層を優先順位とし、次に、速度別情報の順に構成する。
【００５７】
また、ディスク情報内の特定領域、例えば、第Ｌ〜１１１番目のバイトとして“記録ストラテジパラメータ”フィールドと称した領域には、当該ディスク情報が意味する速度に連動する記録ストラテジ（ＷＳ）を記録しておき、また他の特定領域、例えば、第Ｎ番目のバイトとして“記録ストラテジコード”フィールドと称した領域には、記録された記録ストラテジ情報（ＷＳ）の種類を識別する識別情報を記録しておく。
【００５８】
仮に、記録ストラテジ情報（ＷＳ）の種類がＮだけあれば、識別情報は、それぞれの記録ストラテジ情報（ＷＳ）ごとに特定の認識値を割り当てる。例えば、“００００  ００００１ｂ”であれば第１番目のＷＳを意味し（記録ストラテジ−１、ＷＳ−１ともいう）、“００００ ００１０ｂ”であれば第２番目のＷＳを意味し（記録ストラテジ−２、ＷＳ−２ともいう）、Ｎの値に応じて“ＸＸＸＸ  ＸＸＸＸｂ”であれば第Ｎ番目のＷＳを意味する（記録ストラテジ−Ｎ、ＷＳ−Ｎともいう）ものと定義しておげばよい。
【００５９】
また、ＷＳタイプが仮に、“００００  ００００ｂ”と設定されると、これは、特定されたＷＳタイプが存在しないことを意味すると共に、ＷＳパラメーターも存在しないことを意味するものと定義することができる。即ち、Ｎバイトの“ＷＳコード”情報は、ＷＳタイプを指定する情報としてだけでなく、ＷＳが存在しないことを表す情報としても活用することができる。
【００６０】
図６ｂは、特定の記録ストラテジ情報（ＷＳ）に対しディスク情報を記録する一例を示す図であって、例えば、第１の記録層の１倍速ディスク情報内に１倍速に対する記録ストラテジ情報（ＷＳ）を記録する際に、規格化された各種の方式のうち、ディスク製作者が第１番目のＷＳを選択的に記録しておいた例を示している。即ち、ディスク情報の第Ｎ番目のバイトである“記録ストラテジコード”フィールドが“００００ ０００１ｂ”であって第１番目のＷＳ（ＷＳ−１）を意味する場合、第Ｌ〜１１１番のバイトである“記録ストラテジパラメータ”フィールドには、ＷＳ−１に相当するパラメーター値を記録しておく。
【００６１】
従って、仮に、ディスク製作者が第２番目のＷＳを選択し記録する場合は、“記録ストラテジコード”フィールドには、“００００ ００１０ｂ”を記録し、第Ｌ〜１１１番目のバイトには、第２番目のＷＳに適するパラメーターを記録する。記録ストラテジ情報（ＷＳ）の種類によって第Ｌ〜１１１番目のバイトに記録されるパラメーターは異なる値を有し、当該記録ストラテジ情報（ＷＳ）パラメーターは、ディスクの特性に合わせて規格化された情報として予め決め、ディスク製作者やシステム設計者に提供してもよい。そのように、記録ストラテジ情報（ＷＳ）パラメーターを任意の値として構成すれば、本発明との関連性は小さいといえる。
【００６２】
図６ｃ〜図６ｅは、前記のようにして定義されたディスク情報内の記録ストラテジ情報（ＷＳ）を記録する方法に対する具体的な実施形態を示す図であって、図６ｃと図６ｄは、すべての記録層と速度において記録ストラテジ情報（ＷＳ）が、ディスクの製作時に選択的にに選定され記録される方式を示し、図６ｅは、特定倍速の場合は、強制的に予め決められた記録ストラテジ情報（ＷＳ）を記録する方式を示している。
【００６３】
説明の便宜のためにディスクは二層であり且つ各記録層ごとに１倍速と２倍速が適用される場合を例にして説明しようとする。
【００６４】
図６ｃは、すべての記録層と速度に対して記録ストラテジ情報（ＷＳ）を選択的に記録することができる例である。例えば、ディスク情報の一連順番の“００ｈ”には、第１の記録層の１倍速に関するディスク情報を記録し、記録ストラテジ情報（ＷＳ）は第１番目のＷＳ（ＷＳ−１）を選択して記録し、“０１ｈ”には、第１の記録層の２倍速に関するディスク情報を記録し、記録ストラテジ情報（ＷＳ）は第２番目のＷＳ（ＷＳ−２）を選択して記録し、“０２ｈ”には、第２の記録層の１倍速に関するディスク情報を記録し、記録ストラテジ情報（ＷＳ）は第１番目のＷＳ（ＷＳ−１）を選択して記録し、“０３ｈ”には、第２の記録層の２倍速に関するディスク情報を記録し、記録ストラテジ情報（ＷＳ）は第Ｎ番目のＷＳ（ＷＳ−Ｎ）を選択して記録することを示している。
【００６５】
図６ｄは、選択的に記録ストラテジ情報（ＷＳ）を記録することができる他の例を示している。すべての記録層と速度に関するディスク情報に同種の記録ストラテジ情報（ＷＳ）を適用した場合である。即ち、選択的に記録ストラテジ情報（ＷＳ）を記録可能であるため、ディスク製作者は、最も信頼できる１つの記録ストラテジ情報（ＷＳ）方式で、すべてのディスク情報を適用させることができる。図６ｄは、第１番目のＷＳ（ＷＳ−１）がすべてのディスク情報に記録された場合を示している。
【００６６】
図６ｅは、特定速度の場合は、強制的に予め決められた記録ストラテジ情報（ＷＳ）を記録し、残りの速度に対しては、選択的に記録ストラテジ情報（ＷＳ）を記録する方式を示す図である。一般に、１倍速に対する記録ストラテジ情報（ＷＳ）は、最も重要な記録ストラテジ情報（ＷＳ）であるので規格化された特定の方式を予め決めておき、１倍速を除く残りは、ディスク製作者が選択的に記録可能にしている。
【００６７】
例えば、１倍速用の記録ストラテジ情報（ＷＳ）が第１番目のＷＳ（ＷＳ−１）であれば、ディスク情報の一連順番の“００ｈ”には、第１の記録層の１倍速に関するディスク情報を記録し、記録ストラテジ情報（ＷＳ）は第１番目のＷＳ（ＷＳ−１）を必ず記録し、“０１ｈ”には、第１の記録層の２倍速に関するディスク情報を記録し、記録ストラテジ情報（ＷＳ）は選択的に記録可能であるため第２番目のＷＳ（ＷＳ−２）を選択して記録し、“０２ｈ”には、第２の記録層の１倍速に関するディスク情報を記録し、記録ストラテジ情報（ＷＳ）は第１番目のＷＳ（ＷＳ−１）を必ず記録し、“０３ｈ”には、第２の記録層の２倍速に関するディスク情報を記録し、記録ストラテジ情報（ＷＳ）は選択的に記録可能であるため第２番目のＷＳ（ＷＳ−Ｎ）を選択して記録した。
【００６８】
従って、図６ｅの場合を適用する際、規格化された複数の記録ストラテジ情報（ＷＳ）のうち、基本になる１倍速の記録ストラテジ情報（ＷＳ）は、強制的にいずれかを統一的に記録することでディスクの記録特性をより保障し、１倍速以外の残りの倍速に対しては、規格化された複数の記録ストラテジ情報（ＷＳ）のいずれかをディスク製作者が選択的に記録できるようにすることで、ディスクの製作時間を縮めることができるという長所がある。
【００６９】
さらに、特定の場合には、１倍速に対する強制的な記録ストラテジ（ＷＳ）の記録とは別に、１倍速に対してディスク製作者が選択的に他の記録ストラテジ情報（ＷＳ）を記録することも可能である。この場合、１倍速に対するディスク情報は、規格化された強制的な記録ストラテジ情報（ＷＳ）を含むディスク情報とこれとは異なる選択的な記録ストラテジ情報（ＷＳ）を含むディスク情報がそれぞれ存在することになる。
【００７０】
図７ａ、図７ｂは、本発明に係る光ディスクのディスク情報を記録する第４の実施形態を示す図である。ディスク内には、複数のディスク情報が記録されており、それぞれのディスク情報は、一連番号を付してその順番を決め、それを１バイトで記録する。例えば、これを“ＤＩｆｒａｍｅ ｓｅｑｕｅｎｃｅ ｎｕｍｂｅｒ ｉｎ ＤＩ ｂｌｏｃｋ”フィールドと称し、簡略に“００ｈ、０１ｈ、０２ｈ、・・・”などで表した。
【００７１】
即ち、第５番目のバイトの情報が“００ｈ”であれば、第１番目のディスク情報であって、第１の記録層（層０）の１倍速に対するディスク情報でであることを意味し、“０１ｈ”であれば、第２番目のディスク情報であって第１の記録層（層０）の２倍速に対するディスク情報であることを意味し、“０７ｈ”であれば、第８番目のディスク情報であって第２の記録層（層１）の８倍速に対するディスク情報であることを意味するものと定義しておく。従って、ディスク情報は、記録層を優先し、次に速度別情報の順に構成されている。
【００７２】
また、ディスク情報内の特定領域には、当該ディスク情報が指定する速度情報と当該倍速に対応する記録ストラテジ情報（ＷＳ）をディスク情報内の予め決めた特定位置に記録しておく。例えば、ディスク情報内の第Ｎ〜（Ｎ＋４）番目のバイトには、当該ディスク情報の倍速を記録し、第Ｍ〜（Ｍ＋１）番目のバイトには、当該倍速に対応する記録ストラテジ情報（ＷＳ）を記録する。
【００７３】
特に、第４の実施形態は、高速に対応するディスク情報を提供するために、速度情報と記録ストラテジ情報（ＷＳ）を記録する際、これを複数の速度情報ごとに記録し、これをそれぞれ最適速度（Ｖｎｏｍ）、最大速度（Ｖｍａｘ）、最小速度（Ｖｍｉｎ）、中間速度（Ｖｉｎｔ）と称した。
【００７４】
それぞれの速度別の意味は、例えば、最適速度は、当該ディスクの基本速度を意味し、一般に、１倍速に関連する情報を記録する。また、最大速度は、当該ディスク情報が適用可能な最大速度に関連する情報を記録し、最小速度には、最適速度に関連して適用可能な最大速度（例えば、３倍速）を意味し、最小速度は、最適速度に関連して適用可能な最小速度（例えば、最大速度／２．４）を意味し、中間速度は、最適速度に関連して適用可能な中間速度（例えば、最小速度×１．７）を意味するものと定義することができる。
【００７５】
関連して、最大速度、最小速度、中間速度の速度値を決める関係は、本発明が適用されるＢＤディスクの内外周の半径比を考慮し、説明の便宜のために決めたものであって、他種のディスクでは異なるように適用することもでき、同一のＢＤディスクであってもディスクの特性に応じて他の値に設定してもよいことは自明である。
【００７６】
また、最適速度（１倍速）に関連しては、ディスク情報ごとに同一の情報が記録されることが好ましく、最大速度、最小速度、中間速度は、当該ディスク情報の適用可能な最大速度値によって変わることが妥当である。
【００７７】
また、中間速度を複数設定することも可能であり、本発明は、少なくとも１つの中間速度を有することを特徴とする。従って、全体としては、１つのディスク情報内に少なくとも４つ以上の速度情報を含むことになり、速度情報が多いほどシステムの運用に際してより有利であるため、ディスク情報内の記録可能な領域を最大限に活用し、多くの中間速度情報を設定しておくのが好ましい。
【００７８】
図７ｂは、本発明の図７ａに示すようにディスク情報を記録する場合において、特に、二層の場合における記録されるディスク情報を簡略に示す図である。例えば、光ディスクが記録層ごとに異なる３つの速度情報が必要な場合、ＰＩＣ領域内にそれぞれの倍速に対応する６つのディスク情報が必要となり、それぞれのディスク情報は、一連番号と、これに対応する速度情報及び記録ストラテジ情報（ＷＳ）を予め設定された領域に割り当てて記録する。
【００７９】
例えば、表したい倍速がそれぞれ１、２、６倍速であれば、第１番目から第３番目のディスク情報は、第１の記録層に対するディスク情報を意味し、このうち、第１番目のディスク情報は、第１の記録層の１倍速ディスク情報であって、一連番号が“００ｈ”に当たり、当該速度及び記録ストラテジ情報が予め決めた位置に記録される。その際、速度情報は第Ｎ〜（Ｎ＋４）番目のバイトに記録し、記録ストラテジ情報は第Ｍ〜１１１番目のバイトに記録する。また、第２番目のディスク情報は、第１の記録層の２倍速ディスク情報であって、一連番号が“０１ｈ”に当たり、当該速度と記録ストラテジ情報が第１番目のディスク情報と同様にそれぞれ予め決めた位置に記録される。第３番目のディスク情報は、第１の記録層の６倍速ディスク情報であって、一連番号が“０２ｈ”に当たり、当該速度と記録ストラテジ情報が第１番目、第２番目のディスク情報と同様にそれぞれ予め決めた位置に記録される。
【００８０】
第４番目から第６番目のディスク情報は、第２の記録層に対するディスク情報を意味し、このうち、第４番目のディスク情報は、第２の記録層の１倍速ディスク情報であって一連番号が“０３ｈ”に当たり、第５番目のディスク情報は、第２の記録層の２倍速ディスク情報であって一連番号が“０４ｈ”に当たり、第６番目のディスク情報は、第２の記録層の６倍速ディスク情報であって一連番号が“０５ｈ”に当たり、第４番目から第６番目のディスク情報のいずれも当該倍速及び記録ストラテジ情報が第１の記録層のディスク情報と同様にそれぞれ同一の位置に記録する。
【００８１】
本発明の第４の実施形態は、１つのディスク情報内に複数の速度情報をいずれも記録しておくことを例に挙げて説明したが、必要に応じては、１つのディスク情報には特定の速度情報に関連する１つの記録ストラテジ情報（ＷＳ）だけを記録し、残りの記録ストラテジ情報（ＷＳ）は、他のディスク情報に記録してもよい。
【００８２】
例えば、４通りの速度情報の場合、さきの実施形態に比べて更に４倍のディスク情報の数を必要とするが、ディスク情報が記録されるＰＩＣ領域は、十分に多数のディスク情報を記録可能であるため、必要に応じて、多数のディスク情報を記録しておくことも可能である。
【００８３】
図８は、本発明が適用される光ディスクにおける記録再生装置に係り、本記録再生装置は、光ディスクへの記録再生を行う記録再生部１０と、これを制御する制御部２０を備えている。
【００８４】
制御部は、記録再生部に特定領域への記録または再生コマンドを発生し、記録再生部は、制御部からのコマンドに従い特定領域への記録再生を行う。記録再生部１０は、具体的には、外部と通信を行うインターフェイス部１２と、光ディスクにデータを直接に記録したり、再生するピックアップ部１１と、ピックアップ部から再生信号を受信し所望の信号値に復元したり、記録すべき信号を光ディスクに記録すべき信号に変調し伝えるデータプロセッサ１３と、光ディスクから的確に信号を読み出したり、光ディスクに信号を的確に記録するためにピックアップ部１１を制御するサーボ部１４と、ディスク制御情報を含む管理情報を一時的に記憶するメモリ１５と、記録再生部内の構成要素の制御を行うマイクロコンピュータ１６とからなる。
【００８５】
本発明に係る光ディスクの記録過程について詳細に説明する。まず、光ディスクを記録再生装置内にロードすると、ディスク内のすべての管理情報が読み出されて、記録再生部内のメモリ１５に一時的に記憶される。これらの管理情報は、光ディスクへの記録再生時に活用される。メモリに記憶される管理情報には、本発明のディスク制御情報も含まれており、従って、ディスク制御情報内に記録された記録層情報と速度情報さらには当該速度に適する記録ストラテジ情報（ＷＳ）も読み出されてメモリに記憶される。
【００８６】
制御部２０は、光ディスク内の特定領域への記録しようとするとき、記録コマンドとして記録しようとする位置情報を記録すべきデータと共に記録再生部１０に伝える。記録再生部内のマイクロコンピュータ１６は、前記記録コマンドを受信した後、メモリ１５に記憶されている管理情報から制御部２０が記録しようとする光ディスク内の記録層に適用すべき記録速度を決め、決められた速度を参照してその速度に最も適する記録ストラテジを用いて記録コマンドを実行する。
【００８７】
以上、前述した本発明の好適な実施形態は、例示の目的のために開示したものであるに過ぎず、当業者であれば本発明の特許請求の範囲に開示された本発明の技術的思想とその技術的範囲内で種々の他の実施形態として改良、変更、他の、または付加などが可能であることは自明である。
【図面の簡単な説明】
【００８８】
【図１】本発明が適用される単層構造のディスクを簡略に示す図である。
【図２】本発明が適用される二層構造のディスクを簡略に示す図である。
【図３】本発明のディスク制御情報が記録される管理領域を示し、当該領域にディスク情報が記録される形態を簡略に示す図である。
【図４ａ】本発明に係るディスク制御情報を記録する第１の実施形態を示す図である。
【図４ｂ】本発明に係るディスク制御情報を記録する第１の実施形態を示す図である。
【図４ｃ】本発明に係るディスク制御情報を記録する第１の実施形態を示す図である。
【図５ａ】本発明に係るディスク制御情報を記録する第２の実施形態を示す図である。
【図５ｂ】本発明に係るディスク制御情報を記録する第２の実施形態を示す図である。
【図５ｃ】本発明に係るディスク制御情報を記録する第２の実施形態を示す図である。
【図６ａ】本発明に係るディスク制御情報を記録する第３の実施形態を示す図である。
【図６ｂ】本発明に係るディスク制御情報を記録する第３の実施形態を示す図である。
【図６ｃ】本発明に係るディスク制御情報を記録する第３の実施形態を示す図である。
【図６ｄ】本発明に係るディスク制御情報を記録する第３の実施形態を示す図である。
【図６ｅ】本発明に係るディスク制御情報を記録する第３の実施形態を示す図である。
【図７ａ】本発明に係るディスク制御情報を記録する第４の実施形態を示す図である。
【図７ｂ】本発明に係るディスク制御情報を記録する第４の実施形態を示す図である。
【図８】本発明に係るディスク制御情報を用いた光ディスクの記録再生装置を示す図である。
【符号の説明】
【００８９】
１０  記録再生部、１１  ピックアップ部、１２  インターフェイス部、１３  データプロセッサ、１４  サーボ部、１５  メモリ、１６  マイクロコンピュータ、２０  制御部
【図１】
2007527081.tif 000003
【図２】
2007527081.tif 000004
【図３】
2007527081.tif 000005
【図４ａ】
2007527081.tif 000006
【図４ｂ】
2007527081.tif 000007
【図４ｃ】
2007527081.tif 000008
【図５ａ】
2007527081.tif 000009
【図５ｂ】
2007527081.tif 000010
【図５ｃ】
2007527081.tif 000011
【図６ａ】
2007527081.tif 000012
【図６ｂ】
2007527081.tif 000013
【図６ｃ】
2007527081.tif 000014
【図６ｄ】
2007527081.tif 000015
【図６ｅ】
2007527081.tif 000016
【図７ａ】
2007527081.tif 000017
【図７ｂ】
2007527081.tif 000018
【図８】
2007527081.tif 000019
【手続補正書】
【提出日】平成19年6月21日(2007.6.21)
【手続補正１】
【補正対象書類名】特許請求の範囲
【補正対象項目名】全文
【補正方法】変更
【補正の内容】
【特許請求の範囲】
【請求項１】
少なくとも２つの記録層を有する記録媒体上に制御情報を記録する方法であって、
前記少なくとも２つの記録層に対する制御情報を供給するステップと、
前記制御情報を記録媒体の特定領域内に記録するステップとから構成され、前記制御情報は、記録媒体のデータの再生または記録のための情報単位を含んでおり、前記情報単位は、第一に、記録層の順に配列され、第二に、当該記録層に適用可能な記録速度の増加順に配列されるか、または第一に、記録層の順に配列され、第二に、当該記録層に適用可能な記録ストラテジ情報の順に配列されていることを特徴とする記録方法。
【請求項２】
前記特定領域は、複数の記録層の間にある特定記録層の１つの領域であることを特徴とする請求項１に記載の記録媒体の制御情報の記録方法。
【請求項３】
前記特定領域は、特定記録層のリード・イン領域であることを特徴とする請求項２に記載の記録媒体の制御情報の記録方法。
【請求項４】
前記制御情報は、さらに、記録速度、最大読取電力、記録電力、記録パルス幅および記録パルスの起動時間の情報を有する請求項１に記載の記録媒体の制御情報の記録方法。
【請求項５】
前記制御情報は、記録媒体に関する物理的フォーマット情報であることを特徴とする請求項１に記載の記録媒体の制御情報の記録方法。
【請求項６】
前記記録ストラテジ情報は、記録ストラテジパラメーター、すなわち記録媒体上へのデータの記録のためのピット形成のために要求される記録ストラテジタイプを含み、上記記録ストラテジパラメータは少なくとも記録電力、記録パルス期間、記録パルスの起動時間の情報を含んでいることを特徴とする請求項１に記載の記録媒体の制御情報の記録方法。
【請求項７】
前記記録ストラテジ情報は、基本記録ストラテジ情報とこれに代わる記録ストラテジ情報を有することを特徴とする請求項６に記載の記録媒体の制御情報の記録方法。
【請求項８】
制御情報は、記録層情報と記録速度情報をさらに含むことを特徴とする請求項１に記載の記録媒体の制御情報の記録方法。
【請求項９】
多層記録媒体上に制御情報を記録する方法であって、
少なくとも２つの制御情報を備え、前記制御情報は、多層記録媒体の再生または記録のための情報を含んでおり、前記情報は、少なくとも記録層と記録再生速度に関連付けられ、前記制御情報は、第一に、記録層の順に配列され、第二に、各記録層内の層番号に適用された記録速度の増加順に配列されるか、または当該記録層内において記録ストラテジに応じて配列され、
多層記録媒体の特定領域内に特定順に前記制御情報を記録することを特徴とする記録媒体の制御情報の記録方法。
【請求項１０】
前記記録ストラテジ情報は、記録ストラテジパラメーターと記録ストラテジタイプを含み、記録媒体上へのデータの記録のためのピット形成のために要求される情報を意味することを特徴とする請求項９に記載の記録媒体の制御情報の記録方法。
【請求項１１】
少なくとも１つの記録ストラテジ情報は、基本記録ストラテジ情報と任意の記録ストラテジ情報とに分けられることを特徴とする請求項１０に記載の記録媒体の制御情報の記録方法。
【請求項１２】
記録層情報と記録速度情報は、前記制御情報内に記録されることを特徴とする請求項９に記載の記録媒体の制御情報の記録方法。
【請求項１３】
多層記録媒体上にまたは多層記録媒体から記録または再生されるディスク制御情報のデータ構造であって、
前記多層記録媒体は、少なくとも第１の記録層と第２の記録層を有し、前記第１の記録層と第２の記録層の少なくとも一方は、制御情報を記録する予め決められた領域を有し、前記制御情報は、第１の記録層のための第１の制御情報と第２の記録層のための第２の制御情報を含み、前記第１の制御情報は、第２の制御情報より先に設けられ、
前記第１の制御情報は、第１の記録層に適用される基本記録ストラテジのための記録パラメーターを有し、続いて第１の記録層に適用される他の記録ストラテジまたはより大きい記録速度のための記録パラメーターを有し、
前記第２の制御情報は、第２の記録層に適用される基本記録ストラテジのための記録パラメーターを有し、続いて第１の記録層に適用される他の記録ストラテジまたはより大きい記録速度のための記録パラメーターを有することを特徴とする多層記録媒体上に記録または再生される制御情報のデータ構造。
【請求項１４】
前記第１の制御情報と第２の制御情報は、それぞれ前記他の記録ストラテジのための記録パラメーターが存在するか否か、または他の記録ストラテジのタイプが何かを識別する識別情報を含んでいることを特徴とする請求項１３に記載の多層記録媒体上に記録または再生される制御情報のデータ構造。
【請求項１５】
前記他の記録ストラテジのための記録パラメーターは、記録速度及び／または他の記録ストラテジタイプにより決められることを特徴とする請求項１４に記載の多層記録媒体上に記録または再生される制御情報のデータ構造。
【請求項１６】
前記第１の制御情報及び第２の制御情報のそれぞれは、記録層ＩＤを含んでることを特徴とする請求項１５に記載の多層記録媒体上に記録または再生される制御情報のデータ構造。
【請求項１７】
前記第１の制御情報と第２の制御情報は、連続した順に配列されていることを特徴とする請求項１３に記載の多層記録媒体上に記録または再生される制御情報のデータ構造。
【請求項１８】
多層記録媒体上に制御情報を記録する方法であって、この方法は、
制御情報を生成するステップと、
前記制御情報を多層記録媒体上の特定領域に記録するステップとを有し、
前記多層記録媒体は、少なくとも第１の記録層と第２の記録層を有し、前記制御情報は、第１の記録層及び／または第２の記録層内の特定領域に位置し、前記制御情報は、第１の記録層のための第１の制御情報と第２の記録層のための第２の制御情報を含み、
前記第１の制御情報は、第２の制御情報より先に設けられ、前記第１の制御情報は、第１の記録層に適用される基本記録ストラテジのための記録パラメーターを有し、続いて第１の記録層に適用される他の記録ストラテジまたはより大きい記録速度のための記録パラメーターを有し、前記第２の制御情報は、第２の記録層に適用される基本記録ストラテジのための記録パラメーターを有し、続いて第１の記録層に適用される他の記録ストラテジまたはより大きい記録速度のための記録パラメーターを有することを特徴とする多層記録媒体の制御情報の記録方法。
【請求項１９】
前記第１の制御情報と第２の制御情報は、それぞれ前記他の記録ストラテジのための記録パラメーターが存在するか否か、または他の記録ストラテジのタイプが何かを識別する識別情報を含んでいることを特徴とする請求項１８に記載の記録媒体の制御情報の記録方法。
【請求項２０】
前記他の記録ストラテジのための記録パラメーターは、記録速度及び／または他の記録ストラテジタイプにより決められることを特徴とする請求項１９に記載の多層記録媒体の制御情報の記録方法。
【請求項２１】
前記第１の制御情報及び第２の制御情報のそれぞれが記録層ＩＤを含んでることを特徴とする請求項２０に記載の記録媒体の制御情報の記録方法。
【請求項２２】
前記第１の制御情報と第２の制御情報は、連続した順に記録されることを特徴とする請求項１８に記載の記録媒体の制御情報の記録方法。
【請求項２３】
少なくとも第１の記録層と第２の記録層を有し、
制御情報が前記第１の記録層及び／または第２の記録層内の特定領域に位置し、前記制御情報は、第１の記録層のための第１の制御情報と第２の記録層のための第２の制御情報を含み、前記第１の制御情報は、第２の制御情報より先に設けられ、前記第１の制御情報は、第１の記録層に適用される基本記録ストラテジのための記録パラメーターを有し、続いて第１の記録層に適用される他の記録ストラテジまたはより大きい記録速度のための記録パラメーターを有し、前記第２の制御情報は、第２の記録層に適用される基本記録ストラテジのための記録パラメーターを有し、続いて第１の記録層に適用される他の記録ストラテジまたはより大きい記録速度のための記録パラメーターを有することを特徴とする多層記録媒体。
【請求項２４】
前記第１の制御情報と第２の制御情報は、それそれ他の記録ストラテジのための記録パラメーターが存在するか否か、または他の記録ストラテジのタイプが何かを識別する識別情報を含んでいることを特徴とする請求項２３に記載の記録媒体。
【請求項２５】
前記他の記録ストラテジのための記録パラメーターは、記録速度及び／または他の記録ストラテジタイプにより決められることを特徴とする請求項２４に記載の記録媒体。
【請求項２６】
前記第１の制御情報及び第２の制御情報のそれぞれは、記録層ＩＤを含んでいることを特徴とする請求項２５に記載の記録媒体。
【請求項２７】
前記第１の制御情報と第２の制御情報は、連続した順に記録されることを特徴とする請求項２３に記載の記録媒体。
【請求項２８】
記録可能な領域と、記録不可能な領域または事前に記録した領域をそれぞれ有する少なくとも２つの記録層を備えた光記録媒体において、
制御情報は記録層ごとに前記の事前に記録した領域内に分離されて記録されると共に光学記録媒体の各記録層内に含まれ、
前記制御情報内には、対応する記録層を表す記録層情報と、記録速度を直接に表す記録速度情報と、対応する記録層に応じた記録ストラテジ情報が記録されていることを特徴とする光記録媒体。
【請求項２９】
前記光記録媒体は、記録可能なブルーレイディスクであることを特徴とする請求項２８に記載の光記録媒体。
【請求項３０】
前記光記録媒体は、記録可能なＤＶＤであることを特徴とする請求項２８に記載の光記録媒体。
【請求項３１】
少なくとも２つの記録層を有する記録媒体上に制御情報を記録する装置であって、
前記少なくとも２つの記録層に対して制御情報を制御するための制御部を備え、前記制御情報は、記録媒体のデータの再生または記録のための情報単位を含んでおり、前記情報単位は、第一に、記録層の順に配列され、第二に、当該記録層に適用可能な記録速度の増加順に配列されるか、または第一に、記録層の順に配列され、第二に、当該記録層に適用可能な記録ストラテジ情報の順に配列されており、
前記制御情報は、記録媒体の特定領域上に位置することを特徴とする制御情報の記録装置。
【請求項３２】
前記制御情報を記録媒体の特定領域上に記録するための記録部を更に備えている請求項３１に記載の制御情報の記録装置。
【請求項３３】
前記記録部は、インターフェイス部を介して制御部と接続していることを特徴とする請求項３２に記載の制御情報の記録装置。
【請求項３４】
前記記録部は、制御部の制御に応じて制御情報を記録するように当該記録部を制御するためのマイクロコンピュータを備えていることを特徴とする請求項３３に記載の制御情報の記録装置。
【国際調査報告】
2007527081.tif 000020
2007527081.tif 000021